(57)【特許請求の範囲】
【請求項１】
粒子を集束させる方法であって、
第１の懸濁媒質中の前記粒子の懸濁液を準備する工程と、
チャネルの中で前記懸濁液を流す工程であって、前記チャネルは長軸および前記長軸に垂直な断面を有しかつ１００μｍより小さい少なくとも１つの断面寸法を有し、そのために前記チャネルの中で前記懸濁液を流す前に前記第１の懸濁媒質の中に前記粒子を懸濁させる工程と、
を含み、前記第１の懸濁媒質は、前記チャネル中で前記懸濁液を流すことが前記チャネル内部の集束領域での前記粒子の濃度を増加させるような粘弾性特性を有する、方法。
【請求項２】
前記集束領域およびチャネルの長軸が整列している、請求項１に記載の方法。
【請求項３】
第１の断面寸法が１００μｍより小さく、かつ前記第１の断面寸法に垂直な第２の断面寸法が前記第１の寸法よりも十分に大きく、そのため前記粘弾性特性を有する流体に懸濁した流れる粒子が、集束領域で、単一粒子層または複数粒子層に集中する、請求項１に記載の方法。
【請求項４】
第１の断面寸法および前記第１の断面寸法に垂直な第２の断面寸法が、ほぼ同じサイズでありかつ１００μｍより小さく、そのため、前記粘弾性特性を有する流体に懸濁した流れる粒子が、前記チャネルの断面寸法よりも小さい断面寸法を有する一列縦隊集束領域または複数粒子集束領域へと集中する、請求項１に記載の方法。
【請求項５】
前記懸濁液が種々のサイズの粒子を含み、前記粘弾性特性は、前記チャネル中で前記懸濁液を流すことが、より大きい粒子を優先的に前記集束領域に向かって誘導するような粘弾性特性である、請求項１に記載の方法。
【請求項６】
前記懸濁液を準備する工程が、
第２の懸濁媒質中に前記粒子がある懸濁液を得る工程と、
前記第２の懸濁媒質を前記第１の懸濁媒質に加える工程と
を含む、請求項１に記載の方法。
【請求項７】
懸濁液を準備する工程が、
種々の粘弾性特性を有する複数の懸濁媒質を準備する工程と、
前記媒質の粘弾性特性に応じて前記複数の懸濁媒質から前記第１の懸濁媒質を選択する工程と、
前記粒子を前記選択された懸濁媒質に懸濁させる工程と
を含む、請求項１に記載の方法。
【請求項８】
選択する工程が、前記粒子の前記サイズに応じて選択する工程を含む、請求項７に記載の方法。
【請求項９】
前記懸濁液に高分子量ポリマーを加えることにより、前記懸濁媒質の弾性を増大させる工程を含む、請求項１に記載の方法。
【請求項１０】
前記粒子が細胞である、請求項１に記載の方法。
【請求項１１】
血清が前記粘弾性媒質を使用して希釈される、請求項１に記載の方法。
【請求項１２】
流れる粒子を集束するためのシステムであって、
チャネルと、
試料流体を含む流体源であって、前記試料流体が、液体の中に懸濁されている粒子を含む、流体源と、
前記流体源から注入口を経由して前記チャネルへと前記試料流体を誘導するように構成された流体誘導システムであって、そのために前記流体源から注入口を経由して前記チャネルへと前記試料流体を誘導する前に前記液体の中に前記粒子を懸濁させる流体誘導システムと、
を含み、前記液体は、前記チャネルの中の集束領域で前記粒子を集束させるために外部力場を加える必要性を緩和するような粘弾性特性を有するシステム。
【請求項１３】
前記注入口から下流の検査ゾーンの前記集束領域と感知伝達している、尋問光線を提供する光源と、
前記尋問光線を使用して前記検査ゾーンで前記粒子を検出するように構成された検出器と
を含む、請求項１２に記載のシステム。
【請求項１４】
前記粒子が細胞を含む、請求項１２に記載のシステム。
【請求項１５】
前記チャネルが５〜１００μｍの少なくとも１つの断面寸法を有する、請求項１２に記載のシステム。
【発明の詳細な説明】
【技術分野】
【０００１】
（関連出願）
本願は、２００８年６月７日出願の米国仮特許出願６０／９２４，９９８号に基づく優先権を主張する。
【０００２】
本発明は、そのいくつかの実施形態では、フローサイトメトリー、より具体的には蛍光標識細胞分取（ＦＡＣＳ）（これに限られない）に関する。
【背景技術】
【０００３】
フローサイトメトリーは、単一の細胞の物理的および／または化学的特徴の同時多様性解析のための手法である。フローサイトメトリーによって細胞（または他の微視的粒子）を数えること、調べること、および選別することが可能になり、単一の粒子の物理的および／または化学的特徴の多様性解析が提供される。分析される細胞は検査地点に向かって流れ、そしてこの流動は、その粒子が一列縦隊で検査地点に到達し、そうして各粒子が個々に分析されるように設計される。
【０００４】
１つの特定のフローサイトメトリー手法は、蛍光標識細胞分取（ＦＡＣＳ）と呼ばれる。ＦＡＣＳは、生物細胞または他の粒子の不均一な混合物を、各細胞の特定の光散乱および蛍光特性に基づいて、一度に１細胞ずつ２以上の容器に選別することをもたらす。それは有用な科学機器である。なぜなら、それは個々の細胞からの蛍光シグナルの迅速な、客観的かつ定量的な記録、および特に興味を持つ細胞の物理的分離をもたらすからである。
【０００５】
この技術は、分子生物学、病理学、免疫学、植物生物学および海洋生物学を含めた多くの分野で応用されている。
【０００６】
例えば、細胞生物学および免疫学の分野では、この技術は、特異的標的細胞に結合し血球計算器中の抗原の定量分析を可能にする蛍光タグ化抗体とともに使用される。この方法は、タンパク質発現および局在化、細胞表面の抗原の定量（様々な臨床病理学、例えば、白血病内の血液細胞上のＣＤマーカー）、細胞内抗原および核抗原（制御性Ｔ細胞内のＦｏｘＰ３などの転写因子の活性化）、細胞の生存（アネキシン／ＰＩ染色によってアポトーシスを起こした細胞の定量）などの研究のために広く使用される。
【０００７】
フローサイトメトリーおよびＦＡＣＳはまた、医学、特に移植、血液学、腫瘍免疫学および化学療法、遺伝学およびＩＶＦ（体外受精）における精子選別においても幅広く応用されている。
【０００８】
一般に、フローサイトメーター内では、粒子が流体の中で一つずつ整列している、その流体のストリームに光線が向けられる。多くの検出器は、このストリームがこの光線を通過する地点に向けられる。この光線を通過する各々の懸濁した粒子は何らかの方法でこの光と相互作用し（例えば、その光を散乱させる）、その粒子からの光が検出器によって感知される。検出された光は分析され、各々の個々の粒子の物理的および化学的構造についての様々な種類の情報がもたらされる。
【０００９】
典型的には、フローサイトメーターは５つの主要構成要素を有する：
フローセル（ここで、検知のためその細胞が一列縦隊でその光線を通過するように、液体のストリームが細胞を運搬および整列させる）；
光源；
検出器；
増幅システム；および
増幅された検出されたシグナルの分析のためのコンピュータ。
【００１０】
フローセル内で粒子を整列させることは、その粒子に外力を加えることによって成し遂げられる。市販のフローサイトメーターで使用される外力を加える１つの方法は、当該技術分野で「シース流（ｓｈｅａｔｈ  ｆｌｏｗ）」と呼ばれている。他の方法としては、粒子に光および超音波を当てることが挙げられる。
【発明の概要】
【課題を解決するための手段】
【００１１】
本発明は、そのいくつかの実施形態では、フローサイトメトリー、より具体的には蛍光標識細胞分取（ＦＡＣＳ）（これに限られない）に関する。
【００１２】
本発明のいくつかの実施形態の一態様は、粒子が一列縦隊で、例えば、フローサイトメーターの光線を通過するように、それら粒子を整列させることに関する。
【００１３】
従って、本発明のいくつかの実施形態の一態様は、粒子を集束させる方法であって、
第１の懸濁媒質中の当該粒子の懸濁液を準備する工程と、
１００μｍより小さい少なくとも１つの断面寸法を有するチャネルに沿ってこの懸濁液を流す工程と
を含み、
この第１の懸濁媒質は、そのチャネル中で当該懸濁液を流す工程が当該チャネル内部の集束領域での粒子の濃度を増加させるような粘弾性特性を有する、方法に関する。
【００１４】
例示的な実施形態では、この集束領域は、当該チャネルの半分の高さにある。
【００１５】
いくつかの実施形態では、上記集束領域は、チャネルの長さに垂直な断面を有し、この断面は、同じ場所でのチャネルの断面と同形状を有するがそれよりも小さい。
【００１６】
任意に、この集束領域はそのチャネルと同軸である。
【００１７】
本発明のいくつかの例示的な実施形態では、上記懸濁液は種々のサイズの粒子を含み、上記粘弾性特性は、そのチャネル中で当該懸濁液を流す工程が、より大きい粒子を優先的にその集束領域に向かって誘導するような粘弾性特性である。
【００１８】
任意に、懸濁液を準備する工程は、
第２の懸濁媒質中の当該粒子の懸濁液を得る工程と、
当該第２の懸濁媒質を上記第１の懸濁媒質と交換する工程と
を含む。
【００１９】
任意に、懸濁液を準備する工程は、
種々の粘弾性特性を有する複数の懸濁媒質を準備する工程と、
当該媒質の粘弾性特性に応答して上記複数の懸濁媒質から上記第１の懸濁媒質を選択する工程と、
当該粒子をこの選択された懸濁媒質に懸濁させる工程と
を含む。
【００２０】
いくつかの実施形態では、選択する工程は、当該粒子のサイズに応答して選択する工程を含む。
【００２１】
例示的な実施形態では、懸濁液を準備する工程は、
当該粒子を試用懸濁媒質に懸濁させる工程と、
流れる懸濁液が１００μｍより小さい少なくとも１つの寸法を有するように、マイクロチャネルに沿ってこの懸濁液を流す工程と、
集束の品質を評価する工程と、
集束の品質を改善するために、上記試用懸濁媒質の粘弾性特性を変更する工程と
を含む。
【００２２】
任意に、上記方法は、
特定の流量で懸濁液を流す工程と、
集束の品質を評価する工程と、
集束の品質を改善するために、前記流量を増大させる工程と
を含む。
【００２３】
任意に、前記試用懸濁媒質の粘弾性特性を増大させる工程は、当該懸濁液に高分子量ポリマーを加える工程を含む。
【００２４】
任意に、上記チャネル深さは１００μｍ未満である。
【００２５】
任意に、上記チャネルの幅は１００μｍ未満である。
【００２６】
任意に、上記チャネルは、各々１００μｍより小さい深さ、および幅を有する。
【００２７】
いくつかの例示的な実施形態では、当該粒子は細胞である。
【００２８】
いくつかの例示的な実施形態では、第２の懸濁媒質は血清を含む。
【００２９】
本発明のいくつかの実施形態の別の態様によれば、流れる粒子を集束するためのシステムであって、
壁およびその壁間の底部を有するチャネルと、
試料流体を含む流体源と、
上記流体源から注入口を経由して当該チャネルへと当該試料流体を誘導するように構成された流体誘導システムと
を含み、上記試料流体は液体に懸濁された粒子を含み、上記液体は、集束領域で当該粒子を集束させるために外部力場を加える必要性を緩和する粘弾性特性を有するシステム、もまた提供される。
【００３０】
例示的な実施形態では、この集束領域は、チャネルの半分の高さにある。
【００３１】
いくつかの例示的な実施形態によれば、このシステムは、
上記集束領域と感知伝達している尋問光線（ｉｎｔｅｒｒｏｇａｔｉｎｇ  ｌｉｇｈ  ｂｅａｍ）を、上記注入口から下流の検査ゾーンに提供する光源と、
その尋問光線を使用してその検査ゾーンで当該粒子を検出するように構成された検出器と
を含む。
【００３２】
任意に、当該粒子は細胞を含む。
【００３３】
いくつかの実施形態では、上記チャネルは５〜１００μｍの少なくとも１つの断面寸法を有する。
【００３４】
任意に、この少なくとも１つの断面寸法は、上記チャネルの底部に垂直な断面の寸法を含む。
【００３５】
任意に、上記チャネルは底部および壁を有し、その壁間の距離は１００μｍよりも大きい。
【００３６】
任意に、上記システムは各々異なる粘弾性特性を有する複数の流体と、異なるサイズの粒子を集束させるために各流体を使用するようにする使用説明とを含む。
【００３７】
本発明のいくつかの実施形態によれば、
サイズ範囲の表示を保有するパッケージ中に各々が別々に包装された複数の流体と、
この表示されたサイズ範囲の粒子を集束させるためにこの複数の流体の各々を使用するための使用説明と
を含むものが提供される。
【００３８】
本発明のいくつかの実施形態の一態様は、液体の弾性を評価する方法であって、
単分散性の粒度分布を有する粒子を媒質に加えて懸濁液を得る工程と、
１００μｍ以下の少なくとも１つの断面寸法を有するチャネルの中でこの懸濁液を流す工程と、
その粒子が所定の距離に沿ってこのチャネルを流れた後にその粒子の空間分布を得る工程と、
この空間分布を分析してこの媒質の弾性を得る工程と
を含む方法に関する。
【００３９】
任意に、分析する工程は、上記媒質の粘度に応答して分析する工程を含み、当該方法はこの媒質の粘度を得る工程を含む。
【００４０】
任意に、媒質の粘度を得る工程は、媒質の粘度を測定する工程を含む。
【００４１】
いくつかの実施形態では、得られた懸濁液中の粒子の体積分率は０．００１％〜１％である。
【００４２】
任意に、得られた懸濁液の体積分率は０．１％である。
【００４３】
本発明のいくつかの実施形態の一態様によれば、粒子と結合剤との間の相互作用を評価する方法であって、
チャネルの底部の上の層で当該粒子を集束させる工程と、
この集束された粒子を、この底部に固定された結合剤の上に流す工程と
を含む方法もまた提供される。
【００４４】
任意に、この粒子の少なくとも９０％の中心が上記チャネルの半分の高さ未満の厚さを有する層にあるように、当該粒子は集束される。
【００４５】
いくつかの実施形態では、当該粒子を集束させる工程は、本発明の実施形態に係る方法で集束させる工程を含む。
【００４６】
いくつかの実施形態では、粒子と結合剤との間の相互作用を評価する工程は、上記の方法を複数回、各回で異なる深さのチャネルを用いて実施する。
【００４７】
本発明のいくつかの実施形態の一態様は、粒子と結合剤との相互作用を評価するための装置であって、
各々本発明の実施形態に係る複数のシステムを含み、かつこのシステムのうちの少なくとも１つが、当該結合剤が上記チャネルの底部の少なくとも一部分に固定されているチャネルを有する装置
に関する。
【００４８】
任意に、上記複数のシステムは共通の流体源を有する。
【００４９】
任意に、上記複数のシステムは共通の流体誘導システムを有する。
【００５０】
任意に、上記装置は、他のシステムから独立してそのシステムの各々の中のチャネルへの流体の流量を制御するためのコントローラを有する。
【００５１】
任意に、すべてのチャネルが同じ深さを有しているわけではない。
【００５２】
任意に、このチャネルの各々は、他のすべてのものとは異なる深さを有する。
【００５３】
いくつかの実施形態では、当該装置は、すべてのチャネルで同じ集束の品質で粒子を集束させるように構成されている。
【００５４】
別段の定義がない限り、本願明細書で使用されるすべての技術用語および／または科学用語は、本発明が属する技術分野の当業者が一般に理解するものと同じ意味を有する。本発明の実施形態を実施または試験する際に、本願明細書に記載されるものと類似または等価な方法および材料を使用することができるが、例示的な方法および／または材料が以下に記載される。矛盾が生じる場合には、定義を含めて本願明細書が優先する。加えて、材料、方法、および実施例は例示のためのみのものであり、必ずしも限定することを意図してはいない。
【００５５】
本発明のいくつかの実施形態は、例としてのみのものであるが、添付の図面を参照して本願明細書に記載される。本願明細書で図面を詳細に具体的に参照するにあたり、特に示されるものは例としてのものであり、本発明の実施形態の例示的な考察の目的のためのものであることを強調しておく。この点で、図面をもとに解釈される説明によって、どのように本発明の実施形態を実施してよいかが当業者に明らかとなる。
【図面の簡単な説明】
【００５６】
【図１】本発明の例示的な実施形態に係る粒子を集束させる方法でとられる操作のフローチャートである。
【図２Ａ】本発明の例示的な実施形態に係る、流れる粒子を集束するためのシステムの略図である。
【図２Ｂ】本発明の実施形態に係るチャネルの略図である。
【図３】本発明の実施形態に係るキットの説明図である。
【図４Ａ】本発明の実施形態に係るＦＡＣＳ機器の略図である。
【図４Ｂ】本発明の例示的な実施形態に係る媒質のレオロジー特性を測定する方法で採られる操作のフローチャートである。
【図４Ｃ】本発明の例示的な実施形態に係る粒子−結合剤相互作用を研究するための装置の略図である。
【図５Ａ】グリセロール溶液中の直径８μｍのポリスチレンミクロスフェアのＰＤＦ（粒子分布関数）  対  垂直方向の中心を外れた距離の実験値を示すグラフである。白抜き記号は実験結果である。
【図５Ｂ】ポリビニルピロリドン（ＰＶＰ）溶液を用いた以外は図５Ａに記載した実験と類似の実験で得られた実験結果を示すグラフである。白抜き記号は実験結果である。実線は実験結果へのガウシアン・フィッティング（Ｇａｕｓｓｉａｎ  ｆｉｔ）である。
【図６】ｌｏｇ−ｌｏｇプロットで、ポリマー溶液ＰＶＰ（上向き三角）およびＰＡＡ（下向き三角）の剛性率、Ｇ’対  発振周波数ωを示すグラフである。挿入図は、ポリマー溶液のせん断粘度、η（正方形）、および複素粘度、｜η＊｜（△、▽）、（上記のとおりの三角形）対それぞれ
【数１】
0005337151.tif 000002
およびωを示す。
【図７】実験結果（白抜き記号）と理論的予測値（実線の曲線）との間の比較を示すグラフである：８μｍ粒子、ＰＶＰ溶液（△）；８μｍ粒子、ＰＡＡ溶液（  ）；５μｍ粒子、ＰＡＡ溶液（◇）。ＰＡＡ溶液に対応する理論曲線は調整可能なパラメータを有しない。
【図８Ａ】ＰＡＡ溶液に懸濁したＰＳミクロスフェアのＰＤＦ  対  垂直方向の中心を外れた位置を示すグラフである。この図は直径８μｍの粒子についての結果である。白抜き記号は実験結果である。実線は、見やすさのためのものである。
【図８Ｂ】ＰＡＡ溶液に懸濁したＰＳミクロスフェアのＰＤＦ  対  垂直方向の中心を外れた位置を示すグラフである。直径５μｍの粒子についての結果を示す。白抜き記号は実験結果である。実線は、見やすさのためのものである。
【図９Ａ】本発明の実施形態に係る所定のフローシステムにおいて所定の懸濁媒質の集束の品質を予測する方法９００で採られるべき操作のフローチャートである。
【図９Ｂ】本発明の実施形態に係る所定のフローシステムにおいて所定の懸濁媒質の集束の品質を予測する簡素化された方法９００’で採られるべき操作のフローチャートである。
【発明を実施するための形態】
【００５７】
（概説）
本発明は、そのいくつかの実施形態では、フローサイトメトリー、より具体的には蛍光標識細胞分取（ＦＡＣＳ）（これに限られない）に関する。
【００５８】
いくつかの実施形態は、微小流体のフローを使用する粒子集束のための方法または装置を提供する。
【００５９】
本発明のいくつかの実施形態は、微小流体とは一般に考えられないチャネルを用いて実施されてもよい。以下の式がその値を維持する限り、任意の所定の寸法のチャネルを用いて注入口から距離ｘ／ｄのところで同じ集束の品質を得ることができる。
【数２】
0005337151.tif 000003
式中、ａは粒子の半径であり、ｄは当該チャネルの最小寸法の半分であり、
【数３】
0005337151.tif 000004
は流量であり、βおよびｎは懸濁媒質の粘弾性特性を特徴付ける。上記のものが与えられると、スケールアップの可能性についてのさらなる詳細は、「理論的誘導」の見出しのところで提示される理論的分析から明らかである。
【００６０】
例示的な実施形態では、集束は、当該粒子を集束させるために当該粒子に外部場を加える必要性を緩和するような粘弾性特性を有する懸濁媒質中で粒子を流す工程を含む。
【００６１】
いくつかの例示的な実施形態では、この粒子は細胞、例えば、血液細胞、細菌、および／または癌性細胞を含む。任意に、この粒子は、高分子、小胞、リガンド、遮蔽された（ｓｈａｄｅｄ）受容体、抗原および抗体などの可溶性因子に特異的な抗体で覆われたマイクロビーズを含む。そうは言うものの、「粒子」という用語は必ずしもこれらの例に限定されるものではない。
【００６２】
いくつかの例示的な実施形態では、当該粒子は懸濁媒質の中でチャネル内部を流れ、そのチャネルの特定の部分（本願明細書において「集束領域」と呼ばれる）に集中する。任意に、この集束領域は、そのチャネルの中心にあり、例えば、チャネルの底部の中心で、その底部から垂直に延在する体積の中にある。
【００６３】
用語「チャネル」は、本願明細書においては、１００μｍより小さい少なくとも１つの寸法および１００μｍよりはるかに長い長さ、例えば１ｍｍ、１０ｍｍ、５０ｍｍ、１００ｍｍ、１０００ｍｍ、または任意の中間の長さまたはより長い長さを有する任意の構造を表すために使用されることに留意されたい。いくつかの実施形態では、チャネルは、固形物の上面にある溝である。いくつかの実施形態では、チャネルはチューブである。チャネルの長さに垂直なチャネルの断面は、任意に長方形、正方形、丸い形、または球状である。
【００６４】
長方形または正方形の断面を有するチャネルは、任意に、リソグラフィー、例えば、ソフトリソグラフィーまたはフォトリソグラフィーを使用して得られる。この種の製造方法によって、マイクロチャネルを有する物体、例えば、ラボチップ（ｌａｂ−ｏｎ−ｃｈｉｐ）の容易かつ正確な大量生産が可能になる。
【００６５】
チャネルが同様に長くかつ粒子が同様により大きい場合には、集束の品質は、任意に、より大きい最小寸法のチャネルを用いて得られる。チャネルが１００μｍより大きい最小寸法を有し、かつ粒子が約１〜１０μｍである場合、集束の品質は低下する。
【００６６】
チャネルの中心での集束は、チャネルの他の領域での集束よりも、いくつかの点で有利である場合がある。例えば、チャネルの中心では、中心を外れたところよりも流速は大きい。それゆえ、チャネルの中心に集束される粒子はより速く流れ、より高い処理量で扱われ得る。別の例では、処理された粒子が小さいブラウン粒子、例えば、１μｍより小さいブラウン粒子である場合、それらは、流れの方向に垂直に拡散する傾向があり、せん断によって横の拡散性が高められる（テイラー拡散（Ｔａｙｌｏｒ  ｄｉｓｐｅｒｓｉｏｎ）として当該技術分野で公知の効果）。この傾向は、せん断速度が最小であるチャネルの中心で最小であり、それゆえ、横のせん断で増大された拡散に起因する試料幅の広がりを最小にして流れの方向に沿った粒子のより速い動きが実現できる。別の例では、粒子がチャネルの壁に吸着する傾向を有する場合、当該粒子を中心で集束させることでそれらと壁との相互作用が最小にされ、吸着／付着現象が減少される。
【００６７】
本発明のいくつかの実施形態では、この集束は水平方向であり、つまり、当該粒子は、チャネルの深さの半分に近い限られた深さの水平領域で集束される。例えば、粒子が、チャネルの上に配置された光学的装置を用いて光学的に分析されるべきである場合には、水平方向の集束は有利である場合がある。かかる場合には、水平方向の集束は、すべての粒子がその光学的分析器の焦点の範囲内にあるようにしてもよく、これにより、粒子が垂直方向に集束される場合に可能である分析よりも速い粒子分析が可能になる。本発明のいくつかの実施形態は、実際的には重力とは無関係である。そうは言うものの、いくつかの実施形態では粒子は光線を使用して分析されるため、用語「水平方向の」および「垂直方向の」は光線との整列を表すと解釈することが好都合である場合があり、例えば、光線は垂直方向に沿って到達すると定義される。
【００６８】
水平方向の集束は、チャネルの垂直方向の寸法（つまり、そのチャネルの高さ）が１００μｍ以下である場合に、任意に得られる。
【００６９】
いくつかの実施形態では、この集束は垂直方向のものである、つまり、当該粒子はチャネルの幅の約半分のところでチャネルの底部に垂直な集束領域に集中する。垂直方向の集束は、チャネルの水平方向の寸法（つまり、チャネルの幅）が約１００μｍ以下である場合に、任意に得られる。
【００７０】
いくつかの実施形態では、粒子がチャネルの底部および上壁から、およびまたチャネルの壁から離れて流れ、チャネルの壁のいずれかに接触するほどには延在しない体積に集中するという意味で、三次元的な（３−Ｄ）集束が起こる。二次元的な集束は、高さおよび幅がともに約１００μｍ以下であるチャネルを用いて任意に得られる。
【００７１】
任意に、三次元的な集束は、寸法のうちの１つが１００μｍ以下であるチャネルを用いて得られ、他の寸法では、それ自体は必ずしも本発明の実施形態に係るものではない他の方法、例えば、水力学の集束として公知のシース流集束によって、集束は得られる。
【００７２】
任意に、シース流（ｓｈｅａｔｈ  ｆｌｏｗ）集束または他の公知の集束方法は、粘弾性集束と組み合わせて使用される。
【００７３】
いくつかの実施形態では、集束される粒子は、その粒子の実質的な部分の中心がその粒子の典型的な半径とほぼ同じ半径を有する円柱の内にあるように、任意に１つずつ並べられる。いくつかの実施形態では、かかる集束は粒子の長手方向の分散を大きく減少させ、より高いスループットをもたらす。向上したスループットは、圧力で駆動される流れの速度が最大であると予想される中心に当該粒子が集束するためである可能性が高い。
【００７４】
任意に、この実質的な部分は当該粒子の９０％以上、任意に９５％より多く、任意に９９％より多くである。
【００７５】
任意に、上記円柱の半径は当該粒子の典型的な半径の１２０％未満である。
【００７６】
非球形の粒子の場合には、当該粒子の典型的なサイズは当該粒子の最小の寸法に対応する。例えば、直径１μｍおよび高さ１０μｍを有する基本構造（ｂａｓｅ）をもつ円柱状の粒子は、１μｍ直径の球状の粒子と同様に集束する。
【００７７】
本発明の例示的な実施形態では、当該粒子を集束させる方法は、１００μｍより小さい少なくとも１つの寸法を有する長いチャネルの中で粒子の懸濁液を流す工程を含む。
【００７８】
任意に、実質的な集束は、比較的短い距離に沿って当該粒子を流した後に発生する。例えば、当該粒子の半径よりも２０％大きい半径を有する円柱内に当該粒子の９０％を集束させることを、１０ｃｍ以下にだけ沿って当該粒子を流した後に、例えば５ｃｍ、２ｃｍ、または１ｃｍ後に発生させることができる。
【００７９】
例示的な実施形態では、当該懸濁液は、当該粒子および懸濁媒質を含み、この懸濁媒質は、所望の集束をもたらし、かつ、集束を得るために、流れている懸濁液に外部場を加える必要性を軽減する粘弾性特性を有するように選択および／または操作される。
【００８０】
本発明のいくつかの例示的な実施形態では、この懸濁媒質は、チャネル内部のどこでも同じ密度を有する。任意に、集束のために密度勾配は必要とはされない。
【００８１】
この懸濁媒質の粘弾性特性を操作することは、任意に、懸濁液の粘弾性特性を改変する改変剤をこの懸濁媒質に加えることを含む。任意に、この改変剤は、高分子量ポリマー、例えば、約５０〜約１０００キロダルトンの分子量を有するポリマーである。好ましくは、この改変剤は、分散媒質に可溶である量で加えられる。任意に、この改変剤は生体適合性である。この選択肢は、粒子が生体細胞またはマイクロビーズなどの生物材料を含む場合に有利である場合がある。
【００８２】
種々の実施形態でいくつかの改変剤の例としては、ポリアクリルアミド（ＰＡＡ）、ポリエチレングリコール（ＰＥＧ）、ポリスクロース（Ｆｉｃｏｌｌ（商標））、ポリグルコース（デキストラン）、メチルセルロース、およびキサンタンガムが挙げられるが、これらに限定されない。
【００８３】
集束に影響を及ぼし得るいくつかの粘弾性特性としては、粘度、弾性、およびこの懸濁媒質がニュートン挙動を示さない場合には、媒質のせん断減粘（ｓｈｅａｒ  ｔｈｉｎｎｉｎｇ）が挙げられる。
【００８４】
粘度は、任意にパスカル−秒またはポアズ単位で測定される。一般に、より高粘度は効率的がより悪い集束をもたらす。
【００８５】
弾性は、任意に、通常Ｎ１と表される第一法線応力差によって規定される。Ｎ１は、貯蔵弾性率（ｓｔｏｒａｇｅ  ｏｒ  ｅｌａｓｔｉｃｉｔｙ  ｍｏｄｕｌｕｓ）、Ｇ’に関連し、この貯蔵弾性率Ｇ’は市販のレオメーターを使用して実験的に測定することができる。一般に、より高い弾性は、より効率的な集束をもたらす。
【００８６】
せん断減粘（ｓｈｅｅｒ  ｔｈｉｎｎｉｎｇ）は、せん断速度の変化に応答した粘度の変化である。一般に、より高いせん断減粘（ｓｈｅｅｒ  ｔｈｉｎｎｉｎｇ）はより効率的な集束をもたらす。
【００８７】
集束を得るために外部の力場を使用する必要性を軽減するかかる粘弾性特性を有する懸濁媒質を用いた粒子集束は、本願明細書において「粘弾性集束」と呼ばれる。
【００８８】
いくつかの実施形態では、この集束はチューブ内部の懸濁液の流量によって影響される。一般に、より高い流量はより効率的な集束をもたらす。しかしながら、いくつかの他の実施形態では、この集束は流量にはほとんど影響されない。後者の場合、流量を正確に制御する必要性は軽減され、流量非依存的な集束を利用するシステムが、流量依存的な集束を使用する実施形態よりも、より簡便かつより堅牢になり得る。例えば流量は、流量非依存的な実施形態でははるかに不正確であってもよい。流量非依存的な集束を得るための条件は、図９Ａに関しておよび下記の見出し「理論的誘導」で論じられている。
【００８９】
本発明の少なくとも１つの実施形態を詳細に説明する前に、本発明は、その適用が、以下の説明で示されかつ／または図面および／もしくは実施例に例証される構成要素の構成および配置ならびに／または方法の詳細に必ずしも限定されないことを理解されたい。本発明は、他の実施形態が可能であるし、または種々の方法で実行または実施することができる。
【００９０】
ここで図面を参照すると、図１は、本発明の例示的な実施形態に係る粒子を集束する方法（２）でとられる操作のフローチャートである。
【００９１】
操作４は、懸濁媒質の中の当該粒子の懸濁液を準備する工程を含む。この懸濁媒質は、懸濁液が適切な寸法のチャネルの中を流れるとき、その粒子のうちの少なくともいくつかは、そのチャネル内の集束領域に向かうような粘弾性特性を有する。
【００９２】
いくつかの実施形態では、このチャネルの長さに垂直な集束領域の断面は、そのチャネルの幅に実質的に等しい幅、およびそのチャネルの深さよりもはるかに小さい長さを有する。これらの場合、本願明細書では、集束は「水平方向の」と呼ばれる。
【００９３】
いくつかの実施形態では、そのチャネルの長さに垂直な集束領域の断面は、そのチャネルの深さに実質的に等しい深さ、およびそのチャネルの幅よりもはるかに小さい幅を有する。これらの場合、本願明細書では、集束は「垂直方向の」と呼ばれる。
【００９４】
いくつかの実施形態では、そのチャネルの長さに垂直な集束領域の断面は、チャネルの深さよりも実質的に小さい高さ、およびそのチャネルの幅よりもはるかに小さい幅を有する。これらの場合、本願明細書では、集束は３−Ｄと呼ばれる。
【００９５】
本発明の例示的な実施形態では、チャネルの深さは１００μｍより小さく、より浅いチャネルは（他の点では同様の条件下で）より早い集束を可能にする。このチャネルの深さを限定する２つの要因は、あまりに小さいチャネルは詰まりやすいという傾向、および小さいチャネルに流体を流すためにより高い注入口圧力が必要とされることである。
【００９６】
任意に、チャネルは１００μｍより小さい幅をも有し（この場合、２−Ｄ集束が得られる）、この粒子はチャネルの底部および上面壁から離れて、およびチャネルの垂直方向の壁から離れて集束する。３−Ｄ集束では、集束領域は、任意にチャネルの断面に類似しているがそれより小さい断面を有する。任意に、３−Ｄ集束領域はそのチャネルと同軸である。
【００９７】
操作６は、チャネルに沿って当該懸濁液を流す工程を含む。
【００９８】
いくつかの例示的な実施形態では、方法２は、粒子を１つずつ並べることをもたらし、これによってフローサイトメーターの中でそれらを検査することが可能になる。
【００９９】
いくつかの実施形態では、この懸濁液は種々のサイズの粒子を含み、懸濁液体の粘弾性特性は、そのチャネル中で当該懸濁液を流す工程が所定のサイズの粒子をその集束領域に向かって選択的に導くような粘弾性特性である。例えば、下記の図５Ａおよび図５Ｂに関連して論じられるいくつかの実施形態では、直径８μｍの粒子の９５〜９９％は集束領域に導かれ、他方、直径５μｍの粒子の３５〜４０％だけが同じ集束領域に導かれる。
【０１００】
（例示的な懸濁媒質の準備方法）
いくつかの実施形態では、粒子は乾燥しており、媒質粘弾性特性に従って選択される懸濁媒質に懸濁される。
【０１０１】
いくつかの実施形態では、粒子は、不適切な媒質に懸濁されて、準備される。
【０１０２】
任意に、準備された懸濁媒質の不適切な粘弾性特性の効果を制御または排除するために、適切な懸濁媒質が過剰に加えられる。
【０１０３】
あるいはまたは加えて、この懸濁媒質は、適切な粘弾性特性を有する別の懸濁媒質と交換される。
【０１０４】
例えば、多くの実施形態では、血液が処理され、分取しようとする粒子は血清に懸濁されて提供される血液細胞である。
【０１０５】
いくつかの実施形態では、生理食塩水がこの血液に加えられる。任意に、加えられた血清の量は血液の量の約１５倍、２０倍、または２５倍である。
【０１０６】
いくつかの実施形態では、この血清は生理食塩水と交換される。任意に、かかる交換は、その血液試料を遠心分離する工程と、血漿を抽出する工程と、抽出された血漿を生理食塩水に懸濁させる工程とを含む。
【０１０７】
いくつかの実施形態では、この血清を置き換えるために使用される生理食塩水および／またはその血清に加えられる生理食塩水は上記のとおりの改変剤を含む。
【０１０８】
いくつかの実施形態では、複数の任意の懸濁媒質が準備され、そのうちの１つは、懸濁媒質の粘弾性特性および集束または分取されるべき粒子の特性、例えば、その粒子のサイズに従って選択される。
【０１０９】
任意に、この懸濁媒質は、粒子のサイズおよび変形能に応じて選択される。任意に、変形能は有効半径を定義するために使用され、この懸濁媒質は定義された有効半径に応じて選択される。
【０１１０】
任意に、異なる懸濁媒質が、異なるサイズおよび変形能をもつ粒子のために準備される。
【０１１１】
いくつかの実施形態では、試用懸濁媒質がまず使用され、その粒子はその試用懸濁媒質の中で流路に沿ってマイクロチャネルを流され、集束の品質が評価される。集束の品質は、所定の距離を所定の流量でチャネルを流れた後に所定の寸法の集束領域に集束する粒子の割合（％）として任意に定義される。
【０１１２】
この集束が不十分である場合、当該懸濁媒質は任意に手直しされる。任意に、この懸濁媒質は、懸濁媒質の粘弾性特性を改変する改変剤を懸濁媒質に加えることによって手直しされる。任意に、この改変剤はポリアクリルアミド（ＰＡＡ）などの高分子量ポリマーを含む。このポリアクリルアミド（ＰＡＡ）は、それが溶解している液体の弾性を高めることが知られている。任意にまたは加えて、この改変剤は、高分子量ポリマー、例えばグリセロールを含む。このグリセロールはそれが溶解している液体の粘度を変化させることが知られている。任意に、１つのポリマーは粘度および弾性の両方を改変する。任意に、弾性を改変するために１以上のポリマーが使用され、粘度を改変するために１以上のポリマーが使用される。
【０１１３】
本発明の例示的な実施形態では、集束の品質は、集束される粒子の９５％の中心が位置する最も薄い層の幅に基づいて評価される。任意に、その層が薄いほど、集束は良好である。任意に、集束の品質は、集束される粒子の画分に基づいて評価され、その中心は所定の厚さの層内に存在する。
【０１１４】
加えてまたはあるいは、集束の品質は、ある程度まで集束するために粒子がそのチャネルの中を移動した流路の長さに基づき評価される。例えば、１つの実施形態では、当該粒子の９５％が注入口から２０ｍｍのところで２μｍの厚みの層に集中する場合は、当該粒子の９５％が注入口から５０ｍｍのところで２μｍの厚みの層に集中する場合よりも、集束は良好であると考えられる。
【０１１５】
（例示的なシステム）
図２Ａは、本発明の例示的な実施形態に係る、流れる粒子を集束するためのシステム１００の略図である。この図は、流体誘導システム１４５を介して流体源１２５と流体連通しているチャネル（１０５）を示す。流体誘導システム１４５は、検査ゾーン１２８に向かって流体源１２５から入力部１２７を通ってチャネル１０５へと試料流体を導くために備えられる。任意に、流体誘導システム１４５は、シリンジポンプを備え、そのピストンは一定かつ制御された速度で押される。市販の適切な流体誘導システムの例は、ケーディー・サイエンティフィック社（ＫＤ  Ｓｃｉｅｎｔｉｆｉｃ  Ｉｎｃ．）（米国）のＫＤＳ  ２１０  Ｓｃｉｅｎｔｉｆｉｃである。
【０１１６】
図２Ｂはチャネル１０５の略図である。この図は、チャネル１０５が壁１１０および１１５、底部１２０および上面壁１２２を有するとして示す。
【０１１７】
試料流体１３０は懸濁媒質に懸濁された粒子１３５を含む。この懸濁媒質は、チャネル１０５の部分１４０での粒子１３０の集束を容易にし、この集束を得るために外部場を加える必要性を軽減する粘弾性特性を有する。そうは言うものの、いくつかの実施形態では、任意に集束を強めるため、あるいはまたは加えて、さらなる方向に沿って当該粒子を収束するために、当該技術分野で公知のとおり外部場が加えられる。
【０１１８】
動作中は、流体１３０は流体誘導システム１４５によってチャネル１０５の中へと誘導され、粒子１３５はチャネル１０５の中に囲まれた集束領域１４０に導かれる。
【０１１９】
チャネル１０５は、底部１２０に垂直な高さｈ、および壁１１０と１１５との間の幅ｗを有するマイクロチャネルである。高さｈおよび幅ｗのうちの少なくとも１つは１００μｍより小さく、任意に約５μｍ〜約１００μｍ、例えば１０、２０、５０、８０、または１００μｍである。任意に、壁１１０と１１５との間の距離ｗもまた１００μｍより小さい。任意に、ｈまたはｗのうちの１つは１００μｍより大きい。１つの例示的な実施形態では、ｗは１ｍｍであり、ｈは５０μｍである。
【０１２０】
任意に、システム１００はまた図３に図示されるキット２００を含む。キット２００は複数のパッケージ２０５（図示された実施形態では瓶である）を含み、各パッケージは、所定のサイズの粒子を集束させるために適した粘弾性特性を有する懸濁媒質２１０を含む。各瓶２０５は、システム１００を用いて集束するためのその瓶の中に懸濁されるべき粒子のサイズを示すラベル２１５を有する。任意に、このラベルは異なる流量に対して異なる粒径を示す。任意に、このラベルは異なる寸法のシステムに対する異なる粒径を示す。
【０１２１】
任意に、キット２００（および／またはシステム１００）はまた、どの懸濁媒質を用いてどの粒子が集束されるべきであるのかに関する使用説明を含む。任意に、その表示は粒径について触れる。加えてまたはあるいは、その表示は、特定のタイプの細胞、例えば赤血球細胞、白血球、癌性細胞、および／または細菌について触れる。
【０１２２】
（例示的な懸濁媒質）
本発明のいくつかの実施形態では、この懸濁媒質は試行錯誤法で選択されまたは選ばれる。
【０１２３】
例えば、リン酸緩衝生理食塩水（ＰＢＳ）の粘弾性特性は、それに３６０キロダルトンのＰＶＰを加えることによって改変されてもよい。任意に、ＰＶＰは、約２％、５％、８％の分散媒質、または任意の中間の濃度を形成するために加えられる。別の例では、ＰＢＳの粘弾性特性は、同様の量の７０キロダルトンを超える分子量を有するデキストランを加えることによって改変される。加えてまたはあるいは５〜１００ｐｐｍのＰＡＡ、および／またはメチルセルロースが生理食塩水に加えられる。
【０１２４】
いくつかの実施形態では、試行錯誤法を導くために理論解析が使用される。例えば、特定のサイズの粒子を所定のチャネルの中で集束させるために必要とされる粘弾性特性が算出され、類似の粘弾性特性を有する媒質が試用懸濁媒質として使用され、必要に応じて上で説明されたように改変される。
【０１２５】
（例示的な応用例）
（例示的なＦＡＣＳ機器）
図４Ａは本発明の実施形態に係るシステムを利用するＦＡＣＳ機器４００の略図である。機器４００は、任意に上記の種類のものであって図２Ａおよび図２Ｂに示されている粒子集束システム１００を含む。流体源の中の流体は、適切な粘弾性特性の懸濁媒質の中に懸濁された粒子を含む。システム１００は、粒子がチャネル１０５を通って検査ゾーン４０５（図１Ａの中の１２８）へと流れた後に、流体源からその粒子を出力する。
【０１２６】
機器４００はまた、システム１００から検査ゾーンへと到達した粒子を照射するために検査ゾーン４０５上に光線を向ける光源４１０も含む。任意に、システム１００によってもたらされる集束は、当該粒子が１つずつ検査ゾーンに到達するという集束である。各粒子は、光源４１０から到達する光と、任意にその光を散乱することによって、相互作用する。加えてまたはあるいは、その粒子の一部は蛍光をも発する。
【０１２７】
任意に、光源４１０はチャネル１０５の上から粒子を照射する。焦点ゾーンがチャネルの高さの中間までまたは中間において水平方向（すなわち底部１２０に平行）である実施形態では、この光源は、当該粒子が集束する層に焦点を合わせるように微調整され、チャネル１０５の幅全体にわたって分散しかつそのチャネルの中間の高さに集められた粒子からの散乱光および／または蛍光を受け取ることに関与している。チャネル１０５の上側。散乱されたおよび／または発せられた光は検出器（４１５）によって検出され、コンピュータ４２０によって分析される。
【０１２８】
任意に、コンピュータ４２０は、各粒子を、分析結果に応じて複数の行き先４３０のうちの１つへと導くスイッチ４２５を制御する。例えば、より強い蛍光を有する粒子は、ある１つの行き先へと導かれ、より弱い蛍光の粒子を別の行き先へと導かれる。
【０１２９】
（例示的なレオロジー測定）
本発明のいくつかの実施形態の一態様は、任意に前例のない精度まで、媒質のレオロジー特性を測定することに関する。この方法は、媒質の弾性とその媒質を用いて実現可能な集束の程度との間の関係に基づく。
【０１３０】
図４Ｂは、本発明の例示的な実施形態に係る媒質のレオロジー特性を測定する方法５００でとられる操作のフローチャートである。
【０１３１】
５０２で、既知のサイズおよびシャープな粒度分布の粒子が媒質に懸濁される。任意に、粒子の量は、得られる懸濁液の体積濃度（すなわち、粒子で占められる当該懸濁液の体積分率）が約０．０１％〜１％、例えば、０．１％であるような量である。
【０１３２】
５０４で、５０２で得られた懸濁液はマイクロチャネルに流される。
【０１３３】
５０６で、例えば、「理論的誘導」の見出しの節で後述されるようにして、注入口からいくらかの距離でのその粒子の空間分布が測定される。
【０１３４】
５０８で、懸濁媒質のレオロジー特性が、「理論的誘導」の見出しの節で提供される方程式を使用して測定された空間分布から導き出される。
【０１３５】
任意に、この分析は媒質の粘度に関するデータを使用する。任意に、当該方法はかかるデータを測定する工程を含む。
【０１３６】
任意に、方法５００は、±１０パスカルの精度を提供する市販のレオメーターと比べて、±０．０１〜±０．００１パスカルのオーダーの精度での媒質の弾性の測定を可能にする。
【０１３７】
（例示的な結合アッセイ）
多くの種類の粒子、例えば、細胞および高分子は、表面に付着しようとする傾向を示す。この傾向は、時折、粒子のアッセイを解析するために使用されることがある。例えば、例示的な実施形態では、モノクローナル抗体が固定された抗原に結合しようとする傾向、または受容体がチャネルの内表面に固定されたリガンドに結合しようとする傾向が研究される。別の例示的な実施形態では、白血球が固定されたリガンドに結合しようとする傾向（インビトロローリングアッセイ（ｉｎ−ｖｉｔｒｏ  ｒｏｌｌｉｎｇ  ａｓｓａｙ）として当該技術分野で公知）が研究される。
【０１３８】
例示的な実施形態では、粒子は、懸濁媒質中で、当該チャネルの底部の上方の所定の高さで薄層に集束され、この集束される粒子がこの底部に固定された結合剤に結合する能力が研究される。
【０１３９】
後者の場合、集束は、自由に懸濁した粒子とチャネル底部に固定された結合剤との間の有効相互作用範囲の微調整のための特に役立つツールとしての役割を果たしてもよい。かかる微調整は、そのアッセイの空間的分解能を改善する上で有用であり得る。
【０１４０】
任意に、このチャネルは、注入口近くの、底部に結合剤が固定されていない第１の部分、および第１の部分の下流の、固定された結合剤を有する第２の部分を有する。
【０１４１】
任意に、第１の部分は、その粒子の大部分、例えば９５％がその中心を、チャネルの高さよりはるかに薄い、例えばその高さの５％である層に存在させることができるのに十分長い。
【０１４２】
任意に、第２の部分は第１の部分と同じ高さであり、固定された結合剤に引き付けられない粒子は、それが第１の部分において動くのと実質的に同じように第２の部分において動く。任意に、第２の部分は、当該結合剤に結合し得るすべての粒子の大部分、例えば９５％を結合するのに十分長く、結合しない粒子のみが第２の部分から出る。
【０１４３】
任意に、複数のチャネルが使用され、各チャネルは異なる高さを有し、そのため、底部に固定された結合剤と半分の高さにある薄層で集束された粒子との間の相互作用距離は、結合剤への粒子の付着が第１の閾値未満である最小のチャネル高さ、および結合剤への粒子の付着が第２の閾値より高い最大のチャネル高さに基づく。例えば、この相互作用距離は、当該粒子の５％未満が吸着する最小の高さと、その粒子の少なくとも９５％が吸着する最大高さとの間の中点として定義されてもよい。
【０１４４】
任意に、結合剤と粒子との間の相互作用距離は、第２の部分の最初から特定の距離のところでの結合に基づき評価される。
【０１４５】
任意に、すべてのチャネルが同じ長さの第１の部分を有する。任意に、異なるチャネルは、すべてのチャネルにおいて同じ程度まで粒子を集束させるように設計された第１の部分を有する。任意に、これは、より長い第１の部分がより深いチャネルに関連する異なる長さの第１の部分を用いて成し遂げられる。任意にまたは加えて、すべて同じ集束力の第１の部分を有することは、流体を異なるチャネルへと誘導して、より高い流れの流体をより深いチャネルに誘導する流れ誘導システムを微調整することによって成し遂げられる。
【０１４６】
図４Ｃは、本発明の例示的な実施形態に係る粒子−結合剤相互作用を研究するための装置の略図である。
【０１４７】
装置６００は、各々がタンク６１０から試料流体を受ける複数のチャネル６０５を備える。任意に、各チャネル１０５は、それ自身の流れ誘導システム６４５を有し、この流れ誘導システム６４５は、流体が他のチャネルのいずれかへと誘導される流量からは独立した流量で、試料流体をそれと関連するチャネルへと導くために任意に制御可能である。
【０１４８】
図示された実施形態では、各チャネル６０５は第１の部分６２０を有する。任意に、各流れ誘導システムは、第１の部分の終点で、その粒子の約９０％の中心がチャネルの高さの中央の薄層を占めるように作動される。
【０１４９】
結合剤がチャネルの底部に固定された第２の部分６２５もまた図示された実施形態に示されている。各チャネルより上で、第２の部分の始点後いくらかの距離で、この地点に到達する粒子の数を評価するために、カメラの下のチャネル中の粒子を撮像するカメラ６３０が示されている。
【０１５０】
任意に、結合量は、第２の部分に入る粒子の数と第２の部分を離れる粒子の数との間の比に基づいて、評価される。
【０１５１】
（理論的誘導）
以下では、所定のサイズの粒子を集束させるのに適した懸濁媒質を選択する際に当業者を手助けするための理論が提示され、その理論および本発明のいくつかの実施形態の実行可能性を支持するために実験結果が報告される。
【０１５２】
本発明の一態様は、流れ抜ける（ｆｌｏｗ−ｔｈｒｏｕｇｈ）構造における希薄な懸濁液の中の粒子または細胞の受動的かつ調整可能な集束のための方法論に関する。この方法論は、粒子を壁から離してチャネルの中央面に向かって制御可能な様式で駆動するために、希薄なポリマー溶液の圧力駆動による流れにおいて生じる固有の非線形の弾力がどのように活用され得るかを実証する微小流体の実験の結果によって支持される。本発明者らは、基礎となる移動機構を記述するための分析モデルの結果を提示し、横方向の粒子分布の微調整のための方法を提案する。最後に、理論的予測値を立証するために設計された実験の結果が提供され、十分に考察される。
【０１５３】
本発明者らの実験では、参照により本願明細書に援用したものとするＡ．Ｂｒａｎｓｋｙら、Ｂｉｏｓｅｎｓ．Ｂｉｏｅｌｅｃｔｒｏｎ．２２、１６５（２００６）；Ｍｉｃｒｏｖａｓｃ．Ｒｅｓ．７３、７（２００７）、（以降、Ｂｒａｎｓｋｙら２００７）に記載されるフォトリソグラフィーを使用して顕微鏡用カバーガラスに製作した断面ｈ×ｗ＝４５×１０３μｍ２の浅い微小流体用チャネルを使用した。シリンジポンプ（ＫＤＳ  ２１０、ケーディー・サイエンティフィック）を使用して、種々の一定流量で（０．１〜１ｃｍ／ｓの典型的な速度で）マイクロチャネル注入口を通してポリスチレン（ＰＳ）ミクロスフェア（デューク・サイエンティフィック（Ｄｕｋｅ  Ｓｃｉｅｎｔｉｆｉｃ））の希薄に（０．１体積％未満）分散した懸濁液を注入した。高速ＣＣＤカメラ（ＣＰＬ  ＭＳ１００Ｏ  カナディアン・フォトニック・ラボ（Ｃａｎａｄｉａｎ  Ｐｈｏｔｏｎｉｃ  Ｌａｂｓ））を正立顕微鏡（ニコン（Ｎｉｋｏｎ）  ８０ｉ）に取り付けた。種々の深さで、注入口から２０ｍｍ下流で、マイクロチャネルの中央を（側壁から距離ｗ／２のところを）流れるミクロスフェアの膜を、Ｂａｒｎｓｋｙら、２００７によって記載されている特注設計の画像処理ソフトウェアによるさらなる解析のために直接ＰＣに記録した。このアルゴリズムは、粒子を数えて、深さ約１μｍの垂直方向の薄層におけるそれら粒子の速度を算出することができる。
【０１５４】
本発明者らは、特定深さの焦点に含まれる粒子の割合を、その流れ方向の速度で除算して１に正規化したものとして、粒子分布関数（ＰＤＦ）を定義する。この定義によれば、粒子が周囲の流れの流線に追従するのであれば、ＰＤＦは一定かつ流量非依存的でなければならない。本発明者らは、まず、脱イオン水の中に８４体積％のグリセロールを含む粘性の高いニュートン挙動を示す液体に懸濁した直径８μｍのＰＳミクロスフェアを用いて参照実験を行った。溶液のせん断粘度を歪み制御されたレオメーター（ＡＲＥＳ、レオメトリック・サイエンティフィック（Ｒｈｅｏｍｅｔｒｉｃ  Ｓｃｉｅｎｔｉｆｉｃ））を使用して測定したところ、２５℃で０．０６３Ｐａ・ｓであることが判明した。図５ａは、流量を変えた際の実験によるＰＤＦ  対  中心を外れた垂直方向の距離を表す。各点は、数百もの個々の測定値に基づく平均値に対応する。粒子分布は流量とともには変化せず、ほとんど一定であることが容易に分かる。本発明者らは、８重量％  ポリビニルピロリドン（ＰＶＰ、ＭＷ  約３．６×１０５；シグマ・アルドリッチ（Ｓｉｇｍａ−Ａｌｄｒｉｃｈ））水溶液中に懸濁したＰＳミクロスフェアを用いてこの実験を繰り返し、得られたＰＤＦを図５ｂにプロットした。集束は流量の増加とともに高まりながら、この粒子は壁から離れて移動して中央平面に集中する傾向があることが容易に分かる。外部場がない場合の粒子集束（変形により誘導される移動、慣性効果、およびせん断によって誘導される移動）に対するこれまでに示唆された説明は、図５ａおよび図５ｂに示される結果を説明するためには、すべて不十分であるように思われる。明らかに、変形により誘導される移動は剛性の高いミクロスフェアには当てはまらず、慣性効果は両方の溶液で同様の結果をもたらすはずであり、他方、せん断によって誘導される移動は濃厚な懸濁液においてのみ観察される。それゆえ、新規な説明が提示されるべきである。
【０１５５】
本発明者らは、次に、横方向の粒子の移動が、圧縮による非線形的な弾性力の不均衡によって駆動されることを実証することにする。せん断が加わった流れにおけるこれらの力は、第一法線応力差および第二法線応力差、それぞれ
【数４】
0005337151.tif 000005
および
【数５】
0005337151.tif 000006
によって記述される（式中、σｉｉは当該応力テンソルの対角成分を表し、ｘは流れの方向を表し、ｙは速度勾配の方向を表し、ｚは速度方向である）。二次粘弾性流体の解析的に扱い易い事例に対する平面ポアズイユ流における横方向の粒子の移動の厳密な解析から、Ｎ１＞０、Ｎ２＜０の両方とも、粒子をチャネルの中心に向かって駆動するように作用することが示された（Ｂ．Ｐ．ＨｏおよびＬ．Ｇ．Ｌｅａｌ、Ｊ．Ｆｌｕｉｄ  Ｍｅｃｈ．７６、７８３（１９７６）を参照）。この解析をできるだけ一般的に維持するために、本発明者らはスケーリング議論に基づく簡単な理論を構築する。本発明者らはＮ２の寄与を無視し、当該粒子にもたらされる横の弾性力がその粒子のサイズにわたるＮ１の変分に比例し、Ｆｅ〜ａ３（∂Ｎ１／∂ｙ）かつストークス抵抗、Ｆη＝６πηａＶによって相殺されると仮定した。ここで、Ｖは横方向の移動の速度であり、ａはその粒子の半径であり、−ｄ≦ｙ≦ｄ、ｄはチャネルの深さの半分であり、ηは、一般には局所的なせん断速度
【数６】
0005337151.tif 000007
の関数である動粘性係数である。ＦｅおよびＦηを等しくすることで、横方向の移動速度についての式
【数７】
0005337151.tif 000008
を得る。
【数８】
0005337151.tif 000009
のアスペクト比ついては、本発明者らは、この流れを平面ポアズイユプロファイルによって近似する。ベキ乗則流体については、
【数９】
0005337151.tif 000010
解は
【数１０】
0005337151.tif 000011
によって与えられる。式中、
【数１１】
0005337151.tif 000012
は平均速度である。ベキ乗則挙動、
【数１２】
0005337151.tif 000013
は高分子量ポリマーの希薄溶液について予想される［１６］。従って、Ｎ１および
【数１３】
0005337151.tif 000014
を（１）代入し、
【数１４】
0005337151.tif 000015
に到る。式中、
【数１５】
0005337151.tif 000016
は［Ｌ／Ｔ］ｎ−βの次元を有し、λ＝１＋β−ｎであり、ζ＝ｙ／ｄはスケール化された横方向の座標（ｓｃａｌｅｄ  ｔｒａｎｓｖｅｒｓｅ  ｃｏｏｒｄｉｎａｔｅ）であり、Ｃはこのモデルを実験データにフィットさせることによって後に決定されるべき定数である。
【０１５６】
あるいは、（２）における深さ平均による横方向の速度は、容易に
【数１６】
0005337151.tif 000017
であると見出すことができる。式中、Ｗｉ＝Ｎ１／τは平均のワイゼンベルグ数であり、弾性応力、Ｎ１、と粘性応力、
【数１７】
0005337151.tif 000018
との比に等しく、両方とも平均せん断速度、
【数１８】
0005337151.tif 000019
で決定され、定数
【数１９】
0005337151.tif 000020
である。
【０１５７】
本発明者らはさらにブラウン揺動力、粒子間および壁間の水力学的相互作用を無視し、かつ当該粒子の流れ方向の速度Ｕはその中心では無かく乱流の速度、ｕにおよそ等しい［１８］と仮定する。それゆえ、当該粒子の軌跡は以下の方程式の解である。
【数２０】
0005337151.tif 000021
式中、ξ＝ｘ／ｄは、スケール化された軸方向の座標（ｓｃａｌｅｄ  ａｘｉａｌ  ｃｏｏｒｄｉｎａｔｅ）である。方程式（３）は容易に積分することができ、陰解法が得られる。
【数２１】
0005337151.tif 000022
当該チャネル断面にわたる粒子分布は最初は均一であると仮定すると、「粘弾性集束」に起因する入口からのその距離での当該粒子の９５％を含む中心コアの半値幅、ｙ９５を見積もることができる。そのコアの包絡線は軌跡であるため、図１（ｂ）にある実験結果と（３）の解に基づく理論的モデルとを比較することができる。ＡＲＥＳレオメーターを用いて２５℃でＰＶＰ溶液のせん断粘度を測定し、それが約０．０６４Ｐａ・ｓに等しいことが判明した。粘度は０．１〜２５０ｓ−１のせん断速度の範囲にわたって３％未満だけしか減少しないため（図６の挿入図を参照）観察されたせん断減粘はわずかであり、それゆえ、本発明者らはＰＶＰ溶液についてはｎ＝１を使用する。
【０１５８】
このＰＶＰ溶液についてのＮ１の大きさは小さすぎて、定常せん断試験で信頼性高く測定することはできない。その代わり、本発明者らは、振動数、ωの関数としての動的剛性（「貯蔵弾性率」）、Ｇ、の小振幅の振動せん断測定を実施した（図６を参照）。低い値の
【数２２】
0005337151.tif 000023
およびωにおいてＧ’とＮ１との間で成立する粘度測定の関係
【数２３】
0005337151.tif 000024
を使用して、
【数２４】
0005337151.tif 000025
の値を見積もることができる。図６の挿入図で確認されるように、類似のＣｏｘ−Ｍｅｒｚの関係が、せん断粘度、
【数２５】
0005337151.tif 000026
と複素粘度の絶対値
【数２６】
0005337151.tif 000027
との間に成立する。
【０１５９】
レオロジー特性およびチャネルの寸法が与えられると、αを直接算出することができ、そのあと（３）の解を実験データにフィットさせることによって増倍定数Ｃが見出され得る。ｙ９５（μｍ）に対応する値を、種々の流量について図５ｂに示したデータから算出し、白抜き三角形として図７に提示する。図７の真ん中の曲線は実験データへの理論的モデルの最良のフィットに対応し、これら２つのものの間には優れた一致がある。最適のフィットから増倍定数
【数２７】
0005337151.tif 000028
が得られる。
【０１６０】
定常状態でのブラウン揺動力に起因するスケール化されたＰＤＦの幅、２ζＢは、条件、Ｐｅ＝ａＶ／Ｄ０＝１から見積もることができる。式中、Ｖは（２）によって与えられ、Ｄ０は単一の粒子のストークス−アインシュタインの拡散率であり、Ｐｅはペクレ数である。α＝０．５μｍおよび
【数２８】
0005337151.tif 000029
の典型的な平均速度について、
【数２９】
0005337151.tif 000030
が得られ、このため、μｍサイズの粒子についてはブラウン輸送はほぼ無視することができる。
【０１６１】
式（２）から
【数３０】
0005337151.tif 000031
が得られる。ここで、集束の強さはα〜Ａａ２／ηによって制御される。せん断減粘（すなわちｎ＜１）は集束を強化し得る。せん断減粘およびニュートン液体（同じ弾性およびゼロせん断速度粘度を有する）の深さ方向に平均化された移動速度の比は、
【数３１】
0005337151.tif 000032
と簡単になり、
【数３２】
0005337151.tif 000033
に対しては、この式はｎ＜１については１より大きい。従って、粒径を変えかつ懸濁媒質の弾性および／または粘度を変更することによって、下流の特定の距離での粒子分布の幅を制御することができる。例えば、Ｎ１指数、λ〜ｌの場合、その粒子分布は流量に敏感でないと予想される。この理論的予測値の妥当性を検証するために、本発明者らは、４５ｐｐｍ  ＰＡＡ（Ｓｅｐａｒａｎ  ＡＰ３０；ダウケミカル社（Ｄｏｗ  Ｃｈｅｍｉｃａｌ  Ｃｏ．））とともに７６重量％  グリセロールの溶媒を使用して調製した高分子量ポリアクリルアミド（ＰＡＡ）の希薄溶液に基づく粘弾性液体を使用して、実験を繰り返した。せん断粘度は、せん断速度０．１〜４５０ｓ−１の範囲にわたって０．０５２〜０．０３６Ｐａ・ｓと変わり、これは
【数３３】
0005337151.tif 000034
（図６の挿入図を参照）によって最良に近似される。動的剛性（Ｇ’）測定から
【数３４】
0005337151.tif 000035
が得られる（図６を参照）。ＰＡＡの希薄溶液の動的剛性の周波数依存性は、Ｇ’〜ω２であると予想され、予想値の２からの指数のずれは、試験した最低の周波数においてさえも（図６を参照）、実験で使用したポリマーの高い多分散性に起因するのかも知れない。
【０１６２】
従って、
【数３５】
0005337151.tif 000036
であり、流量に対するＰＤＦのかなり弱い依存性が予測される。他方で、前指数因子（ｐｒｅ−ｅｘｐｏｎｅｎｔｉａｌ  ｆａｃｔｏｒ）Ａは上記ＰＶＰ溶液について測定されるものよりも約一桁高く、それゆえより強い集束効果が上記ＰＡＡ溶液において予想される。
【０１６３】
８μｍおよび５μｍのミクロスフェアの得られるＰＤＦはそれぞれ図８ａおよび図８ｂに与えられる。予想されるとおり、ＰＤＦはほとんど流量に依存しないことが容易に理解できる。粒径効果は明らかである：ＰＤＦ分布はより大きい粒子ほどより狭い。対応するｙ９５の値は図８のＰＤＦから算出することができ、それらは、５μｍ粒子（白抜きひし形）および８μｍ粒子（白抜き正方形）について、図７に流量に対して図示される。ＰＡＡ溶液におけるｙ９５の理論的予測値［図７の一番上および一番下の曲線］は、Ｃ＝０．３０１とした方程式（３）の解に基づいており、調整可能なパラメータはまったく含んでいない。予想されるとおり、８μｍの粒子についての集束効果は、このＰＶＰ溶液においてよりもこのＰＡＡ溶液において強く、粒径の効果は大きい。（調整可能なパラメータなしの）理論的予測値とこの実験データとの比較から優れた一致が示され、上記粘弾性集束の仮説が検証される。８μｍ粒子についての実験的分解能は不十分であるので、理論的予測値と図７におけるＰＡＡ溶液中での８μｍ粒子についての実験との間の一致は、５μｍ粒子についての場合ほどには正確ではない。これらの粒子は４μｍ未満の非常に薄い層の中に集束される。図８（ａ）参照。
【０１６４】
（集束予測方法）
図９Ａは、本発明の実施形態に係る所定のフローシステムで所定の懸濁媒質の集束の品質を予測する方法９００でとられるべき操作のフローチャートである。
【０１６５】
操作９０２で、このシステムの物理的寸法が提供される。これらの寸法には、任意に、この微小流体用チャネルの構造（その幅ｗ、深さｈ（すなわち、このチャネルの半分の深さを表すｄ＝ｈ／２）、および注入口と検査ゾーンとの間の長さを含む）；および集束されるべき粒子の見積もられるサイズが含まれる。
【０１６６】
９０３で、実験での設定で使用されることになる流量Ｑ、が選択され、平均の流れ方向の速度
【数３６】
0005337151.tif 000037
は、方程式
【数３７】
0005337151.tif 000038
から見積もられる。ここでＡ＝ｈ×ｗである。
【０１６７】
９０４で、この所定の懸濁媒質のレオロジー特性が見積もられる。見積もられるレオロジー特性には、任意に、せん断速度
【数３８】
0005337151.tif 000039
の関数としての動的粘度、η（Ｐａ・ｓ）、および発振周波数、ωの関数としての弾性率Ｇ’（Ｐａ）が含まれる。任意に、これらの見積りは、文献で利用できるデータに基づく。任意に、これらのデータは、例えば市販のレオメーターを用いて実験的に集められる。
【０１６８】
９０６で、方程式
【数３９】
0005337151.tif 000040
における定数Ａおよびβが見積もられる。
【０１６９】
任意に、この見積もりは、粘度測定での等式
【数４０】
0005337151.tif 000041
を用いて９０４で得られた測定値に基づく。
【０１７０】
Ｎ１が市販のレオメーターによって直接測定されるのに十分大きい（典型的には、数十Ｐａのオーダーにある）場合、Ｎ１は任意に直接測定される。
【０１７１】
９０８で、方程式
【数４１】
0005337151.tif 000042
中のパラメータｍおよびｎが見積もられる。この見積もりは、任意に文献で利用可能なデータに基づく。あるいは、この見積もりは、測定されたレオロジー特性を上記の方程式にフィットさせる工程を含む。
【０１７２】
９１０で、集束の品質は、操作９０２および９０３でもたらされるデータならびに操作９０４〜９０８で得られた見積もり値を使用して上記の方程式４を解くことによって評価される。任意に、集束の品質は、試験粒子の無次元の位置ζ＝ｙ／ｄによって評価される。例えば、流れ方向に注入口から２０ｍｍの距離で、ｄ＝４０μｍの半分の深さを有するマイクロチャネルの中の深さ４μｍの中心層内に粒子の何％が垂直方向に集束されるであろうかを知りたい場合は、ζ＝４／４０＝０．１およびξ＝２０００／４０＝５０を用いてζ０について式（４）を解くべきである。例えば、得られたζ０＝０．７５という値は、その粒子のおよそ７５％は、注入口から下流の２０ｍｍの距離で深さ４μｍの中央のコア内に集束されるであろうということを意味する。
【０１７３】
単分散の直鎖状ポリマーの多くの希釈溶液は、特定の明確なレオロジー挙動を示す（Ｂｏｇｅｒ液体として当該技術分野で公知）：これによると、
【数４２】
0005337151.tif 000043
である。
【０１７４】
用語「単分散性ポリマー」は、この文脈では、狭い分子量の分布を有するポリマーを表すために使用される。希薄溶液でＢｏｇｅｒ液体挙動をもたらす直鎖状ポリマーの例としては、単分散性ポリアクリルアミドおよびポリエチレングリコールが挙げられる。
【０１７５】
Ｂｏｇｅｒ液体の場合、ｎ＝１およびβ＝２であり、集束の品質の評価はかなり単純になる。かかる単純化された方法（９００’）のフローチャートが図９ｂに提示される。
【０１７６】
図９Ｂは、本発明の実施形態に係る所定のフローシステムで所定の懸濁媒質の集束の品質を予測する方法９００でとられるべき操作のフローチャートである。
【０１７７】
図９ｂの中の操作９０２および９０３は、図９ａの中の同じ操作とまったく同様である。
【０１７８】
９０４’で、平均せん断速度およびせん断速度の平均勾配が、操作９０２および９０３で提供される値から、式：
【数４３】
0005337151.tif 000044
から算出される。
【０１７９】
９０６’で、粘性応力τおよび法線応力Ｎ１の値が測定され、Ｗｉ＝Ｎ１／τが算出される。τおよびＮ１の測定は、任意に、市販のレオメーターを用いて実施される。これらの値は、任意に、９０４’で算出された
【数４４】
0005337151.tif 000045
に等しい１つのせん断速度でのみ測定される。
【０１８０】
正確な法線応力測定は、通常は市販のレオメーターによっては利用できず、それゆえ法線応力は、１つの周波数
【数４５】
0005337151.tif 000046
で市販のレオメーターを使用して、および関係
【数４６】
0005337151.tif 000047
を使用して、振動せん断測定で測定される弾性率Ｇ’から任意に見積もられ、その測定されたデータから法線応力が得られる。
【０１８１】
９０８’で、ワイセンベルグ数Ｗｉ＝Ｎ１／τは９０６’で得られたデータを使用して算出される。
【０１８２】
９０８’で、その粒子の平均横方向速度
【数４７】
0005337151.tif 000048
が、９０４〜９０８で算出された量および方程式（２ａ）およびＢｏｇｅｒ液体については
【数４８】
0005337151.tif 000049
であるという入力に基づき算出される。
【０１８３】
９１０’で、粒子がチャネルの中心の水平方向面に完全に集束される流れ方向の距離は、
【数４９】
0005337151.tif 000050
と見積もられる。
【０１８４】
（全般的な注釈）
本願から成立する特許の存続期間の間に多くの関連する懸濁媒質、フローサイトメーター、およびＦＡＣＳ機器が開発されるであろうということが予想され、当該用語に対応する用語の範囲は、すべてのかかる新しい技術を最初から包含することが意図されている。
【０１８５】
用語「含む（ｃｏｍｐｒｉｓｅｓ）」、「含む（ｃｏｍｐｒｉｓｉｎｇ）」、「含む（ｉｎｃｌｕｄｅｓ）」、「含む（ｉｎｃｌｕｄｉｎｇ）」、「有する」およびそれらの同根語は、「〜を含むが、これらに限定されない」ことを意味する。
【０１８６】
用語「例示的な」は、「例、実例または図解としての役割を果たす」ことを意味する。
【０１８７】
本願明細書で数値範囲が示される場合はいつでも、それは、示された範囲内のあらゆる引用された数字（分数または整数）を含むことが意図されている。第１の示された数と第２の示された数「との間の範囲の（ｒａｎｇｉｎｇ）／範囲にある（ｒａｎｇｅｓ）」および第１の示された数「から」第２の示された数「までの範囲の（ｒａｎｇｉｎｇ）／範囲にある（ｒａｎｇｅｓ）」との語句は、本願明細書においては互換的に使用され、第１および第２の示された数ならびにそれらの間のすべての分数および整数を含むことが意図されている。
【０１８８】
分かりやすさのために別々の実施形態に関連して記載されている本発明の特定の特徴は、１つの実施形態で組み合わせて提供されてもよいことが予想される。逆に、簡潔さのために１つの実施形態に関連して記載されている本発明の種々の特徴は、別々に、またはあらゆる適切なサブコンビネーションとして、または本発明のいずれかの他の記載された実施形態において適切であるとして、提供されてもよい。種々の実施形態に関連して記載された特定の特徴は、それらの要素がなければその実施形態が機能しない場合でない限り、それらの実施形態の必須の特徴とは考えられないものとする。
【０１８９】
本発明はその具体的な実施形態に関連して説明されてきたが、多くの変更態様、修正態様およびバリエーションが当業者に明らかになることは明白である。従って、本発明は、添付の特許請求の範囲の趣旨および幅広い範囲のうちに含まれるすべてのかかる変更態様、修正態様およびバリエーションを包含することが意図されている。
【０１９０】
本願明細書で言及されたすべての刊行物、特許および特許出願は、各々の個々の刊行物、特許および特許出願が具体的におよび個々に参照により本願明細書に援用したものとすると示された場合と同じ程度まで、参照によりその全体を本願明細書に援用したものとする。加えて、本願におけるあらゆる参考文献の引用または特定は、かかる参考文献が本発明にとっての先行技術として利用できるということを認めるものとは解釈されないものとする。節の見出しが使用されるところでは、それらは必ずしも限定するものとは解釈されるべきではない。
【図１】
0005337151.tif 000051
【図２Ａ】
0005337151.tif 000052
【図２Ｂ】
0005337151.tif 000053
【図３】
0005337151.tif 000054
【図４Ａ】
0005337151.tif 000055
【図４Ｂ】
0005337151.tif 000056
【図４Ｃ】
0005337151.tif 000057
【図５Ａ】
0005337151.tif 000058
【図５Ｂ】
0005337151.tif 000059
【図６】
0005337151.tif 000060
【図７】
0005337151.tif 000061
【図８Ａ】
0005337151.tif 000062
【図８Ｂ】
0005337151.tif 000063
【図９Ａ】
0005337151.tif 000064
【図９Ｂ】
0005337151.tif 000065